(57)【要約】  本発明は、ユーザの顔面領域に呼吸マスク（２）を装着するヘッドバンド手段（１）に関連する。前記ヘッドバンド手段（１）は、上下バンド部分（３、４）を備え、呼吸マスクに適用されることを要するマスク保持力を伝達するために使用される、しなやかなバンド本体を含んでいる。バンド本体の少なくとも若干部分は発泡プラスチック材料で製造されている。本発明は、さらに、ユーザの後頭部の周りに延びるヘッドバンド手段を含む、呼吸マスクのための適用装置（１０２）に関連する。このヘッドバンド手段は、少なくとも一度は一時的に、ヘッドバンド手段を、個々のユーザの後頭部の形状に少なくとも部分的に調整可能な状態にできる材料で製造された支持構造（Ｓ）を含んでいる。
2007510486.tif 000002
【特許請求の範囲】
【請求項１】
ユーザに呼吸マスクを取り付けるためのヘッドバンド手段であって、
上記呼吸マスクを取り付けるのに必要なマスク保持力を伝達するための、上下のバンド部分（３、４）を含み可撓性を備えているバンド本体を有していて、
上記バンド本体の少なくとも一部が発泡プラスチック材料でつくられていることを特徴とするヘッドバンド手段。
【請求項２】
上記バンド本体が、孔形成性のプラスチック材料を成形型の成形空間に射出することにより形成されたものであることを特徴とする、請求項１に記載のヘッドバンド手段。
【請求項３】
上記プラスチック材料が、その外部表面領域に表皮を有することを特徴とする、請求項１又は２に記載のヘッドバンド手段。
【請求項４】
上記バンド本体が、引張力に耐えるインサートを備えていることを特徴とする、請求項１〜３のいずれか１つに記載のヘッドバンド手段。
【請求項５】
上記バンド本体が寸法的に安定したインサートを備えていることを特徴とする、請求項１〜４のいずれか１つに記載のヘッドバンド手段。
【請求項６】
上記バンド本体が、バンドブラケット部分と調整可能な方法で結合する閉鎖手段を備えていることを特徴とする、請求項１〜５のいずれか１つに記載のヘッドバンド手段。
【請求項７】
上記閉鎖手段が、ヘッドバンド手段と一体的に形成されたロック構造を含むことを特徴とする、請求項１〜６のいずれか１つに記載のヘッドバンド手段。
【請求項８】
上記閉鎖手段が、該ヘッドバンド手段上の異なる閉鎖位置にもたらされるスライド手段を含むことを特徴とする、請求項１〜７のいずれか１つに記載のヘッドバンド手段。
【請求項９】
上記スライド手段が、上記ロック構造上で該スライド手段をロックするロック機構を含むことを特徴とする、請求項１〜８のいずれか１つに記載のヘッドバンド手段。
【請求項１０】
第１のプラスチック射出ステップの範囲内において、引張力に耐えるインサートを形成するためのプラスチック材料を成形型の空間部に射出し、
上記ステップの後のプラスチック射出ステップの範囲内において、孔形成性のプラスチック材料を、引張力に耐えるインサートを少なくとも部分的に覆う形態となるように孔形成性のプラスチック材料を成形型内に導入し、これによりクッション部を形成することを特徴とするヘッドバンド手段を製造する方法。
【請求項１１】
ユーザの後頭部領域の周囲の取り付け位置内で伸びるヘッドバンド手段を含んでいる呼吸マスクのための取り付け装置であって、
上記ヘッドバンド手段に支持構造が設けられ、
上記支持構造が、少なくとも一度は一時的に、上記ヘッドバンド手段の少なくとも一部が個々のユーザの後頭部の形状に順応することが可能な状態にすることができる材料でつくられていることを特徴とする取り付け装置。
【請求項１２】
上記支持構造が、３００℃を超える温度まで加熱された後で弾性的に変形することが可能な材料でつくられていることを特徴とする、請求項１１に記載の取り付け装置。
【請求項１３】
上記支持構造が熱可塑性材料でつくられていることを特徴とする、請求項１１又は１２に記載の取り付け装置。
【請求項１４】
上記支持構造が補強層を形成していることを特徴とする、請求項１１〜１３のいずれか１つに記載の取り付け装置。
【請求項１５】
上記支持構造の経路が後頭部の湾曲に順応することを特徴とする、請求項１１〜１４のいずれか１つに記載の取り付け装置。
【請求項１６】
上記支持構造が、その取り付け位置でユーザに対向するその内部表面にクッション部を備えていることを特徴とする、請求項１１〜１５の１つに記載の取り付け装置。
【請求項１７】
上記支持構造が開口部を含むことを特徴とする、請求項１１〜１６のいずれか１つに記載の取り付け装置。
【請求項１８】
上記支持構造が、着脱可能な形態でヘッドバンド手段に結合していることを特徴とする、請求項１１〜１７のいずれか１つに記載の取り付け装置。
【請求項１９】
上記支持構造が、主表面部からヘッドバンド部分の方向に伸びるアーム部を含むことを特徴とする、請求項１１〜１８のいずれか１つに記載の取り付け装置。
【請求項２０】
上記支持構造が２つの下部脚（Ｓ１、Ｓ２）を有する下縁部分を含み、上記２つの下部脚が、ヘッドバンド手段の下部バンド部分（９）を案内するために、その取り付け位置でユーザの頬骨に向かって伸びていることを特徴とする、請求項１１〜１９のいずれか１つに記載の取り付け装置。
【請求項２１】
上記支持構造が２つの上部脚（Ｓ３、Ｓ４）を有する上縁部分を含み、上記２つの上部脚が、首領域にあるスタート領域から耳領域を横切って伸びる方向に伸びていることを特徴とする、請求項１１〜２０のいずれか１つに記載の取り付け装置。
【発明の詳細な説明】
【技術分野】
【０００１】
本発明は、ユーザの顔面領域に呼吸マスクを取り付ける（apply）ためのヘッドバンド手段に関するものである。また、本発明は、この種のヘッドバンド手段を製造する方法に関するものでもある。さらに、本発明は、ヘッドバンド手段を含む呼吸マスク用の取り付け手段に関するものである。
【背景技術】
【０００２】
呼吸マスクは、特に医療と治療の部門で、睡眠時の呼吸器疾患を治療するのに使用される。この種の呼吸マスクにより、周囲圧力より大きな圧力で、環境大気を特定フィルターにかけて、呼吸可能ガスをユーザへ供給可能となる。この呼吸ガスの供給（圧力増加させて実行される）により、上部気道領域での空気のスプリンティング（ｓｐｌｉｎｔｉｎｇ）を達成し、その結果、これらの気道領域で起こり得る障害の防止が可能となる。こうした方法で、睡眠時の呼吸器疾患を治療するために用いられる呼吸マスクは、休息時間および睡眠時間の全体にわたってユーザに装着されている。呼吸マスクは、通常、ヘッドバンド装置によりユーザの頭部へ固定されている。これらのヘッドバンド装置は、下部ヘッドバンド部分のみならず上部ヘッドバンド部分を含むこともあり、その場合、上部ヘッドバンド部分が、対応する保持力を呼吸マスクの額支持手段へ与える。呼吸マスクは、下部ヘッドバンド部分により、鼻を囲む領域（上唇部分だけでなく鼻梁部分）に向かって力を加えることができる。
【発明の開示】
【発明が解決しようとする課題】
【０００３】
本発明の目的は、生産技術の見地から有利に製造可能であり、さらに、装着感や使用感の良さで際立っているヘッドバンド手段を提供することである。
【課題を解決するための手段】
【０００４】
第１の試みに従い、この目的は、ユーザへ呼吸マスクを提供し、さらに、バンド本体の少なくとも一部が発泡プラスチック材料で製造され、呼吸マスクに供給されることを要するマスク保持力を伝達する上下バンド部分を有する、可撓性を有するバンド本体を含むヘッドバンド手段により達成される。
【０００５】
結果として、大量生産される物品として、さほどのカッティングロスもなく、クッション特性に起因して際立っているヘッドバンド手段を生産することができるという有利な効果を奏する。
【０００６】
本発明の特に好適な実施例によると、バンド本体形成用のプラスチック材料は、そのプラスチック材料を対応する成形型の空間部へ射出成形されることにより、バンド本体となる。バンド本体は、その外部表面領域に表皮を有するよう、都合よく構成されている。この表皮効果は、対応する内部空間に、コーティングで成形することによって実現可能である。このコーティングは、特に、粉体塗装処理、または薄膜の挿入により実行される。
【０００７】
本発明の特に好適な実施例によると、バンド本体には、引張剛性（耐張力性）のあるインサート（挿入物）が設けられる。この引張剛性のあるインサートは、熱可塑性材料、特に、ナイロン、またはポリアミド材料で製造されているのが好ましい。それは、バンド本体に含まれたインサートの少なくとも若干部分は、部分的に大きさ的に安定したインサートを形成するように構成可能である。クッション特性、特に、バンド本体のクッションの厚みは、特に接触圧力が増加するバンド領域でクッションを厚くするなど、変更可能である。
【０００８】
本発明の特に好適な実施例によると、バンド本体は、調整可能な形で、バンドストラップ、またはブラケット部分、またはマスク固定要素と結合する閉鎖手段を含んでいる。これにより、ヘッドバンド手段による、マスク接触圧力の正確な調整が可能となる。閉鎖手段は、ヘッドバンド手段と一体的に形成された、ロック構造を有しているのが好ましい。このロック構造は、ロック効果が、対応する反対構造と、力による嵌合接続および／またはぴったり合う接続ベースで達成可能となるよう構成可能である。ロック構造は、特に、張力を受けたり、引張剛性のあるそと一体的に形成された構成にすることができる。耐張力インサートは、特定の曲げ動作を示す形で構成可能である。この特定の曲げ動作は、特に、耐張力インサートの厚みを調整することによるのみならず、耐張力インサート内に凹みを形成することにより達成可能である。
【０００９】
本発明の特に好適な実施例によると、閉鎖手段は、ヘッドバンド手段上の異なる閉鎖位置でロック可能なスライド手段を含んでいる。このスライド手段は、ロック構造上でスライド手段をロック可能な、ロック機構を含んでいてもよい。
【００１０】
本発明のさらなる態様によると、上記の目的は、まず、引張剛性のあるインサートを形成する第１プラスチック射出ステップにおいて、対応するプラスチック材料がインサートを形成する成形ツール空間へ射出され、さらに、それに続くプラスチック射出ステップにおいて、クッション部分を形成する増孔材料が耐張力インサートを少なくとも部分的に覆う形となるよう、増孔プラスチック材料が拡大された型空間へ射出される、というヘッドバンド手段の生産プロセスによっても達成される。
【００１１】
さらに、本発明は、呼吸マスクのための適用装置、特に、睡眠時の呼吸器疾患を治療する呼吸マスクに関連している。
【００１２】
この点では、本発明の目的は、呼吸マスクの信頼できる固定を可能にし、使用感の良さで際立つ呼吸マスクのための適用装置を提供することである。
【００１３】
本発明によると、この目的は、ユーザの後頭部の周りの適用位置内に伸びるヘッドバンド手段を含み、そのヘッドバンド手段が支持構造を備えており、さらにこの支持構造が、ヘッドバンド装置を、少なくとも一度は一時的に、ユーザの後頭部の形状に少なくとも部分的に個々に適合可能な状態にできる材料で製造されている、呼吸マスクのための適用装置で達成される。
【００１４】
その結果、呼吸マスクに向かって伸びるヘッドバンド部分の進路が、マスクユーザの個々の頭の形に都合よく適合されるのを保証するような、ヘッドバンド装置の提供は有利に可能となる。さらに、また、特に、ヘッドバンド部分を通して、マスクユーザの後頭部領域へ、低い表面圧で適用される張力を導入するのも有利に可能である。
【００１５】
ヘッドバンド装置は、支持構造が、耳の高さあるいは頚椎の終端領域で、ユーザの後頭部へ留まるような形で、構成されるのが好ましい。
【００１６】
本発明の特に好適な実施例によると、支持構造は、好ましくは少なくとも３０℃の温度まで加熱された後に、柔軟に変形可能な材料で製造されている。支持構造は、例えば、水槽中で、または熱空気により加熱可能である。
【００１７】
支持構造は、プラスチック材料、特に熱可塑性材料で製造されているのが好ましい。支持構造は、まだ完全には回復していない状態で、例えば、ユーザの後頭部の湾曲に適合可能な補強層を形成するよう、構成可能である。支持構造は、適用位置でユーザを向く側に、クッションを含むことができる。このクッションは、発泡材料および／または不織布材料で形成可能である。
【００１８】
特に、支持構造が曲面プレート要素として構成される場合は、支持構造には開口部があるのが好ましい。これにより、蒸気に対する支持構造の透過率を増加させ、ヘッドバンド手段が湿気を含みすぎるのを回避する。支持構造は、ヘッドバンド手段へ解放可能に結合する形で構成可能である。その結果、支持構造からヘッドバンド手段を分離可能であり、都合よくヘッドバンド手段と別々に掃除可能である。
【００１９】
本発明の特に好適な実施例によると、支持構造は、ヘッドバンド部分に沿う主要支持表面部分から延びるアーム部分を含むよう構成される。
【００２０】
支持構造は、頬骨に向かう適用位置に延びる２本の下部脚を有し、および／または、ヘッドバンド装置の下部バンド部分を誘導するよう、対応する耳たぶの下にある領域内にある下部縁部分を含む形で、構成可能である。したがって、下部ヘッドバンド部分の進路は、都合よく個々の頭の形にユーザの頬領域を横切り、有利に調整可能である。
【００２１】
本発明のさらなる態様によると、支持構造は、耳の領域を横切る方向へ首領域の開始ゾーンから延びる、２本の上部脚を有する上部縁部分を含むよう好適に構成されている。
【００２２】
本発明のさらなる細部および機構は、図面と組み合わせた、以下の説明から理解可能である。
【発明を実施するための最良の形態】
【００２３】
図１に示した呼吸マスクユーザは、本発明に従うヘッドバンド手段１を用いて、鼻にかけて適用される呼吸マスク２を装着している。呼吸マスク２は、下部ヘッドバンド部分３と上部ヘッドバンド部分４により固定されている。ヘッドバンド手段１は、プラスチック射出ステップ中に、発泡プラスチック材料を対応するプラスチック成形スペース部分内に注入することにより、発泡プラスチック材料で製造されている。
【００２４】
ヘッドバンド手段１は、調整可能な方法で、それぞれのヘッドバンド部分３、４へ固定手段７、８を取り付ける、ロック手段５、６を含んでいる。固定手段７、８は、それぞれのブラケットあるいはストラップ部分７ａ、８ａを有しており、これらのブラケットあるいはストラップ部分７ａ、８ａを、呼吸マスク２に向かって延びるさらなるバンド部分１１、１２が通り抜ける。
【００２５】
ヘッドバンド手段１は、下部ヘッドバンド部分３が、首領域から耳の下の頬領域を横切って、呼吸マスクへ向かって延びるよう構成されている。上部ヘッドバンド部分４は、後頭部上部領域からマスクユーザの額領域へ延びている。下部ヘッドバンド部分３と上部ヘッドバンド部分４は、呼吸マスク２の装着に必要な保持力を提供する。
【００２６】
下部ヘッドバンド部分３は、本質的に、呼吸マスク２とマスクユーザの鼻を囲む領域との間の接触圧力を決定する。上部ヘッドバンド部分４にわたる張力は、本質的に、額支持手段１４とマスクユーザの額との間の接触圧力を決定する。
【００２７】
図１ｂは、平面に広げられたヘッドバンド手段１を概略的に示している。このヘッドバンド手段は、前述の下部ヘッドバンド部分３のみならず、上部ヘッドバンド部分４を含んでいる。ヘッドバンド手段１は、発泡材料で製造され、耐張力インサートを含んでいる。鎖線によりマークされる領域Ｂでは、引張剛性インサートあるいは耐張力インサートが、その支持領域に対して本質的に垂直方向へ延びる軸の周りに、特に高い捻り剛性を有する形で構成されている。結果として、下部ヘッドバンド部分３領域内でバンドを曲げるか、あるいは、この領域内でオフセットを実現することが可能であり、それにより、下部ヘッドバンド部分３が、ユーザの耳領域の下を頬領域に向かって都合よく通過可能となる。示されたように、ヘッドバンド手段１は、以下でより詳細に考察される、そこへ一体的に形成されたロック構造５、６が設けられている。
【００２８】
図２は、完全に増孔プラスチック材料で製造された、本発明に従うヘッドバンド手段の実施例を示している。
【００２９】
図３は、引張剛性のあるインサートＥを含む、バンド本体の異形を説明する断面略図Ｑ／Ｑを示している。引張剛性のあるインサートは、例えば、ナイロンやポリアミドなどの熱可塑性材料で製造されている。引張剛性のあるインサートＥは、発泡材料Ｍ内に埋め込まれている。発泡材料Ｍは、耐張力インサートＥへ射出成形される。
【００３０】
図４は、本発明の特に好適な実施例に従う、引張剛性のあるインサート、あるいは耐張力インサートＥと一体的に形成された、ロック構造１６を説明する略図を示している。ロック構造１６は横切って連動するウェブ部分として実現され、特に図５ａに示した断面を有することができる。ロック構造１６のウェブ本体は、スライド要素に対するガイド手段を形成するよう構成される。ウェブ手段上のスライド要素のロック位置は、調整可能である。
【００３１】
図５ｂは、図５ａあるいは図４に従う、ウェブ手段上に配置されるスライド要素の可能な異形を概略的に示す略図である。スライド要素は、ロック構造１６へ選択的に係合可能なロック機構１７（詳細には図示せず）を含んでいる。スライド要素は、図１ａに示したように、バンド部分１１、１２を受けるブラケットあるいはストラップ部分１８を含んでいる。
【００３２】
図６ａは、ロック手段領域における、本発明に従うヘッドバンド手段のさらなる断面の異形を示している。ここでも、ヘッドバンド本体は、そこに埋め込まれた耐張力インサートＥと同様に、発泡材料で製造されたクッション層Ｍを含んでいる。また、ここでも、耐張力インサートＥは、図５ａに従う異形とは対照的に、ほとんど埋没する方法でバンド本体内において受けられる、ロック手段の部分を形成する。スライド要素はバンド本体に埋没したウェブ手段へ挿入可能であり、このスライド手段は、やはり詳細には示されていないロック機構により、案内機構へ調整可能な形で取付可能である。
【００３３】
図７は、発泡材料で製造されており、かつ耐張力層あるいは引張剛性層Ｅが埋め込まれている、クッション本体Ｍを含むヘッドバンドの異形を示している。耐張力層Ｅは、ロック歯２０を備える案内ウェブを形成するロック手段１６を含んでいる。スライド要素２１は、この案内ウェブ上に配置される。スライド要素２１は、詳細に示されていない、ロック機構をアンロックすることになるプッシュボタン２２を作動させることにより、矢印Ｐにより示された方向へ移動可能である。スライド要素２１は、ヘッドバンド手段のバンド部分１１、１２が通り抜けられる、ブラケットあるいはストラップ部分１８を有している。バンド部分１１、１２は、対応するヘッドバンド部分３、４の有効長を、およそ、かつ事前に調整する、フックおよびループファスナ２４が提供される。
【００３４】
ヘッドバンド部分１１、１２のパケット部分１８への図示された取付けの代わりに、図１８に概略的に示したように、スライド要素２１を呼吸マスク２と結合させることも可能であり、すなわち、しっかり縫われたバンドブラケット２５内にブラケット部分１８が埋め込まれていて、バンドブラケット２７を呼吸マスク２の取付ブラケット２６に通すことで、呼吸マスク２への取付けが実現することになるもので、ここでは、バンドブラケット２７は、着脱可能なフックおよびループファスナ２８により実現されている。スライド要素２１は、ロック手段１６に沿って可動である。ロック手段１６は、バンド本体（図６ａ）に埋没しているウェブ手段によっても実現可能である。
【００３５】
図９は、本実施例において、ヘッドバンド装置として実現された適用装置１０２により、さらなる呼吸マスク装置１０１が固定された呼吸マスクユーザを示している。呼吸マスク装置１０１は、ユーザの鼻領域に配置され、シーリングリップ１０５によりシールされるマスクベース本体１０３を含んでいる。マスクベース本体１０３は、フレーム構造と、それに結合された額支持手段１０６によってユーザに固定されている。呼吸ガスは、マスクベース本体１０３により形作られたマスク内部へ、概略的にのみ示されている接続手段１０７を通して供給可能ある。
【００３６】
適用装置１０２は、額支持手段１０６領域内の後頭部Ｈ領域から延びる上部ヘッドバンド部分１０８を含んでいる。さらに、適用装置は、また、ユーザの首領域から頬骨を横切り、マスクベース本体１０３領域内へ延びる、下部ヘッドバンド部分１０９を含んでいる。この実施例では、対応するヘッドバンド部分１０８、１０９は、図１１に関連して以下で説明されるフックおよびループファスナ構造を用いて呼吸マスク装置１０１へ結合されている。適用装置は、本実施例では、大きさが安定したプレート材料により形成された支持構造Ｓが設けられている。大きさが安定したプレート材料は、一定条件の下で柔軟に変形可能な材料で製造されており、したがって、個々のユーザの後頭部の形に適合可能である。この実施例では、適応性は、支持構造の形成材料が、熱変形可能プラスチック材料であることにより達成される。このプラスチック材料の材料特性は、およそ５０℃からの範囲で可塑的に変形可能であるように調整される。本発明に従う、個々の後頭部の形に適合する支持構造を使用することにより、生理学の見地で有利な方法で、呼吸マスク装置１０１を適用するのに要する保持力が適用可能となる。支持構造Ｓを個々のユーザの頭の形に適合させることにより、特に、下部ヘッドバンド装置１０９のコースを都合よく決定可能となり、さらに、滑りと捻じれに対する大きな抵抗を実現することができる。
【００３７】
図１０は、上で説明した適用装置の背面図である。この図から、上部ヘッドバンド部分８が、ユーザの後頭部領域を横切るのは明白である。後頭部領域に橋を架ける上部ヘッドバンド部分の一部分８ａは、対角線のウェブ１１０、１１１によるのと同様に、垂直方向のウェブ９により、ユーザの後頭部領域内に延びる適用装置１０２の下部バンド装置と結合している。ヘッドバンド手段は、前記支持構造Ｓを患者の後頭部領域内に含んでいる。この支持構造Ｓは、個々のユーザの後頭部の形に適合される。支持構造Ｓには、蒸気の透過率を増大させるよう開口部がある。
【００３８】
支持構造Ｓは、マスクユーザの頬領域を横切る有利な形で伸びるよう対応して割り当てられたバンド部分１０９を案内する形に配置された、脚部分Ｓ１、Ｓ２を有する下部縁部分ＵＲを含んでいることは、図１１から明白である。この実施例では、支持構造は、ヘッドバンド手段の上部バンド部分１０８を案内するさらなる２つの脚部分Ｓ３、Ｓ４を含んでいる。
【００３９】
ヘッドバンド部分１０８、１０９は、ヘッドバンド部分８、９が呼吸マスク装置１０１の対応するブラケットあるいはストラップ部分と分離可能な形で結合する、フックおよびループファスナ１１２、１１３を備えている。
【００４０】
図１２は、支持構造Ｓ領域内の適用装置の好適な実施例を示す、簡略化断面略図である。支持構造Ｓは、クッション本体ＰＫを備えている。この実施例では、クッション本体ＰＫは、織物層ＴＬに埋め込まれた発泡材料で形成されている。織物層ＴＬは、フックおよびループファスナにより、ヘッドバンド手段１０８、１０９へ着脱可能となるよう構成されたクッション支持構造手段へ結合できる、カップリング表面１１４を備えるよう構成することができる。支持構造Ｓは、蒸気の透過率を増大させる開口部Ｄを有している。
【００４１】
本発明は、上に説明した実施例には限定されない。代替的に、熱変形可能材料により支持構造Ｓを実現するには、異なる方法でユーザの後頭部の形状に適合可能な材料により、さらに、この個々の形状を十分な寸法的に安定した方法で維持する材料により、支持構造を製造することも可能である。特に、これは、例えば樹脂などの硬化材料を用いて達成可能である。支持構造Ｓは、ことによるとさらなる適合の必要がないような、後頭部の最もありえそうな形状を考慮に入れた曲がりを有するように、前もって形成可能である。
【００４２】
一時的に、柔らかくて、寸法的に安定した構造を用いる概念は、発泡射出成形でバンド本体を形成する概念と組み合わせて有利に使用可能であり、後者の概念も本発明に従うものである。特に、例えば、熱の影響を受けて、一時的に柔らかい材料の少なくとも後頭部領域における、発泡射出成形概念の見地から言及され、あるいは少なくとも十分に型成形可能な耐張力構造を製造することは可能である。
【図面の簡単な説明】
【００４３】
【図１ａ】本発明に係るヘッドバンド手段により適用される、呼吸マスクを装着したユーザの側面図である。
【図１ｂ】本発明に係るヘッドバンド手段を説明する略図である。
【図２】引張剛性のあるインサートを持たないバンド本体の断面図である。
【図３】引張剛性のあるインサートを有する異形を説明する、バンド本体の断面図である。
【図４】本発明に係る、ヘッドバンドに形成されるロック部分を説明する略図である。
【図５ａ】ロック手段が一体的に形成されているバンド本体の断面プロフィールを説明する側面図である。
【図５ｂ】図５ａに係る構造に割当てられたスライド手段を示す図である。
【図６ａ】耐張力インサートと一体的に形成されるロック手段と同様に、そこへ形成された引張剛性のあるインサートを有する、バンド本体の異形の断面図である。
【図６ｂ】図６ａに係るロック手段に割当てられたスライド手段を説明する略図である。
【図７】ヘッドバンドが発泡材料で形成され、そこへ一体的に形成された、引張剛性のあるインサートとロック手段を含む、呼吸マスクのためのヘッドバンドのさらなる細部を説明する斜視略図である。
【図８】図７に係るヘッドバンド手段の機能をさらに説明する略図である。
【図９】ヘッドバンド装置によりユーザに適用された呼吸マスクを有する、呼吸マスクユーザの側面図である。
【図１０】この領域のヘッドバンド装置の好適な形を説明する、マスクユーザの後頭部領域を示す図である。
【図１１】呼吸マスク装置から分離した、本発明に係る適用装置の構成を説明する略図である。
【図１２】支持構造領域にある適用装置の、好適な断面形状を説明する略図である。
【符号の説明】
【００４４】
１  ヘッドバンド手段、２  呼吸マスク、３  下部ヘッドバンド部分、４  上部ヘッドバンド部分、５  ロック手段、６  ロック手段、７  固定手段、８  固定手段。
【図１ａ】
2007510486.tif 000003
【図１ｂ】
2007510486.tif 000004
【図２】
2007510486.tif 000005
【図３】
2007510486.tif 000006
【図４】
2007510486.tif 000007
【図５ａ】
2007510486.tif 000008
【図５ｂ】
2007510486.tif 000009
【図６ａ】
2007510486.tif 000010
【図６ｂ】
2007510486.tif 000011
【図７】
2007510486.tif 000012
【図８】
2007510486.tif 000013
【図９】
2007510486.tif 000014
【図１０】
2007510486.tif 000015
【図１１】
2007510486.tif 000016
【図１２】
2007510486.tif 000017
【国際調査報告】
2007510486.tif 000018
2007510486.tif 000019
2007510486.tif 000020
2007510486.tif 000021
2007510486.tif 000022
2007510486.tif 000023
2007510486.tif 000024
2007510486.tif 000025
2007510486.tif 000026
2007510486.tif 000027